(57)【要約】【課題】  ユーザが腰を曲げたり、姿勢を低くしたりすることなく簡単なボタンの操作で延長管を屈折することで掃除作業を行ない易いように構造が改善された真空掃除機の屈折延長管を提供する。【解決手段】  本発明に係る真空掃除機の屈折延長管において、第１の延長管と;第１の延長管に回動自在に結合される第２の延長管と;前記第１および第２の延長管を選択的にロッキングするリリース把手とを含む。ユーザが前記リリース把手を把持する場合前記第１および第２の延長管のロックが解除される。【選択図】      図２
2005161010.tif 000002
【特許請求の範囲】
【請求項１】
真空掃除機本体と吸込ブラシとの間において気密の流路を形成し、そのボディがユーザの選択により屈折する真空掃除機の屈折延長管において、
第１の延長管と;
前記第１の延長管に回動自在に結合される第２の延長管と;
前記第１および第２の延長管を選択的にロッキングするリリース把手とを含み、ユーザが前記リリース把手を把持する場合に前記第１および第２の延長管のロックが解除されることを特徴とする真空掃除機の屈折延長管。
【請求項２】
前記第１の延長管は、
パイプ状のボディと;
前記ボディの一端部に形成され、前記第２の延長管に連結される円筒状継ぎ手と;前記リリース把手が設けられるよう前記本体に突設されたヒンジ突起とを含むことを特徴とする請求項１に記載の真空掃除機の屈折延長管。
【請求項３】
前記円筒状継ぎ手は、中心軸が前記ボディ内に形成された流路の仮想の中心線と直交をなしていることを特徴とする請求項２に記載の真空掃除機の屈折延長管。
【請求項４】
前記ヒンジ突起は、前記本体の両側面に突設し、中心軸が互いに一致する１対の円筒状突起であることを特徴とする請求項２に記載の真空掃除機の屈折延長管。
【請求項５】
前記リリース把手は、
前記第１の延長管の外周面を覆うように前記ヒンジ突起に摺動結合されるヒンジ溝と;
前記第２の延長管の回動を拘束するレバーとを有していることを特徴とする請求項２に記載の真空掃除機の屈折延長管。
【請求項６】
前記ヒンジ溝は、外側に開放された開口部および前記ヒンジ突起の直径と対応するように形成された閉鎖端を含み、前記開口部と閉鎖端との間にボトルネック区間を有することを特徴とする請求項５に記載の真空掃除機の屈折延長管。
【請求項７】
前記レバーは、前記リリース把手に一体で形成されていることを特徴とする請求項５に記載の真空掃除機の屈折延長管。
【請求項８】
前記第１および第２の延長管の連結部を密閉し、前記第２の延長管と一緒に回動しつつ前記レバーが選択的にロックされる継ぎ手カバーと;
前記レバーを弾力支持できるよう前記継ぎ手カバーの内周面に設けられる弾性部材とを含むことを特徴とする請求項５に記載の真空掃除機の屈折延長管。
【請求項９】
前記継ぎ手カバーは、
前記弾性部材が収容される少なくとも１つの収容突起と;
前記レバーの終端が係止される段差部を有しているガイド突起とを含むことを特徴とする請求項８に記載の真空掃除機の屈折延長管。
【請求項１０】
前記レバーは、前記収容突起の中からいずれか１つにより終端が保持され、前記第１および第２の延長管の屈折角度を規制することを特徴とする請求項９に記載の真空掃除機の屈折延長管。
【請求項１１】
前記ガイド突起は、前記継ぎ手カバーの内周面に螺旋型の軌跡を有するように突設され、前記ガイド突起の開始点と終点とが接点する部分に前記段差部が形成されていることを特徴とする請求項９に記載の真空掃除機の屈折延長管。
【請求項１２】
前記弾性部材は、板バネであることを特徴とする請求項８に記載の真空掃除機の屈折延長管。
【請求項１３】
真空掃除機本体と吸込ブラシとの間において気密の流路を形成し、そのボディがユーザの選択により屈折する真空掃除機の屈折延長管において、
第１の延長管と;
前記第１の延長管に回動自在に結合される第２の延長管と;
前記第１の延長管に突設された複数のヒンジ突起に摺動結合され、ユーザが把持できるよう前記第１の延長管の外周面を覆い、前記第１および第２の延長管の連結部側の終端に一体に形成されたレバーを有するリリース把手と;
前記第１および第２の延長管の連結部を密閉し、前記第２の延長管と一緒に回動しつつ前記レバーが選択的にロックされるガイド突起を含む継ぎ手カバーと;
前記レバーを弾力支持できるよう前記継ぎ手カバーの内周面に設けられている弾性部材とを含み、
ユーザが前記リリース把手を把持する場合に前記レバーがロック解除され、前記第１および第２の延長管が屈折されることを特徴とする真空掃除機の屈折延長管。
【発明の詳細な説明】
【技術分野】
【０００１】
本発明は真空掃除機に関し、詳しくは、ベッド、ソファーなど家具類の下の空間がより掃除し易いように延長管の連結部を屈折可能に連結することができる真空掃除機の屈折延長管に関する。
【背景技術】
【０００２】
一般に、真空掃除機は、掃除機本体に設けられた真空吸込モーターにより発生した真空吸込力により被掃除面のゴミ等を空気と一緒に吸い込むものであって、掃除機本体と掃除を行なう吸込ブラシとを気密の状態で連結するための流路が形成される。
【０００３】
このような流路は、掃除機の種類によって様々な形態で設けることができるが、一般に、キャニスター型掃除機の場合、本体と作動把手とを連結するフレキシブルホースと、作動把手と吸込ブラシとを連結する延長管とからなる。このような延長管は、必要に応じて長さが調節可能な伸縮型であるか、または複数の延長管のそれぞれが分離および組立可能に備えられることが一般的である。
【０００４】
しかし、ユーザがベッドやソファーのような家具類の下の部分を掃除するためには、前記のような従来の延長管で連結された吸込ブラシの場合、延長管と吸込ブラシとの角度が固定されている場合が多いため、姿勢を低くした状態で吸込ブラシを底面に密着した状態で延長管を回し掃除を行なわなければならない。また、延長管と吸込ブラシとの角度が可変できるとしても、吸込ブラシを家具の下の部分に入れるためには、ユーザが腰を曲げなければならない等の不便があり、改善が求められている。
【発明の開示】
【発明が解決しようとする課題】
【０００５】
本発明は、前記のような問題点を解決するためになされたものであって、その目的は、ユーザが腰を曲げたり、姿勢を低くしたりすることなく簡単なボタンの操作で延長管を屈折することで掃除作業を行ない易いように構造が改善された真空掃除機の屈折延長管を提供することにある。
【課題を解決するための手段】
【０００６】
前述した問題点を解決するための本発明に係る真空掃除機の屈折延長管は、 屈折可能に設けられる第１および第２の延長管と;前記第１の延長管の外周面を覆うように設けられ、ユーザが把持する場合、前記第１および第２の延長管のロックを解除するリリース把手とを含む。このとき、前記第１および第２の延長管の連結部は継ぎ手カバーにより密閉されることが好ましく、前記継ぎ手カバー内部には、前記リリース把手を弾性的に支持するための弾性部材が設けられることが好ましい。
【０００７】
本発明の好適な実施形態によれば、前記第１の延長管は、パイプ状のボディと;前記ボディの一端部に形成され、前記第２の延長管に連結される円筒状継ぎ手と;前記リリース把手が設けられるよう前記本体に突設されたヒンジ突起とを含むことが好ましい。
【０００８】
尚、前記円筒状継ぎ手は、中心軸が前記ボディ内に形成された流路の仮想の中心線と直交をなしていることが好ましい。
【０００９】
そして、前記ヒンジ突起は、前記本体の両側面に突設し、中心軸が互いに一致する１対の円筒状突起であること好ましく、この際、前記リリース把手は、前記ヒンジ突起に摺動結合されるよう一側が外側に開放された開口部および前記ヒンジ突起が収容される閉鎖端を有するヒンジ溝とを含むことが好ましい。尚、前記閉鎖端は、その内周面が前記ヒンジ突起の直径と対応するように形成され、前記ヒンジ突起の離脱のため、前記開口部と閉鎖端との間にボトルネック区間を有することが好ましい。
【００１０】
そして、前記レバーは、前記リリース把手に一体に形成されることが好ましい。
【００１１】
そして、前記継ぎ手カバーは、前記弾性部材が収容される少なくとも１つの収容突起と;前記レバーの終端が係止される段差部を有するガイド突起とを含み、前記レバーは、前記収容突起の中いずれか１つにより終端が保持され、前記第１および第２の延長管の屈折角度を規制することが好ましい。さらに、前記ガイド突起は、前記継ぎ手カバーの内周面に螺旋型の軌跡を有するように突設されることが好ましく、前記弾性部材は、一端が前記継ぎ手カバーに固定される板バネであることが好ましい。
【発明の効果】
【００１２】
本発明に係る真空掃除機の屈折延長管によると、ユーザが腰を曲げたり、姿勢を低くしたりすることなく、簡単な操作だけで延長管を屈折することができるため、ベッドやソファーのような家具類の下の部分も容易に掃除することができ、延長管を持ち上げるだけで屈折された延長管を元の状態に復帰させることができユーザの便宜性が増大する。
【発明を実施するための最良の形態】
【００１３】
以下、添付した図を参照して本発明にかかる真空掃除機の屈折延長管の構造につき説明する。
【００１４】
図１および図２に示すように、本発明の係る屈折延長管１００は、第１の延長管１１０と、第２の延長管１２０と、リリース把手１３０、および継ぎ手カバー１４０を有している。
【００１５】
第１の延長管１１０は、パイプ状の本体１１１と、本体１１１の一端部に形成され、第２の延長管１２０に連結される円筒状継ぎ手１１２と、リリース把手１３０が設けられるように本体１１１に突設されたヒンジ突起１１３とを含む。
【００１６】
円筒状継ぎ手１１２は、図２に示すように、中心軸(Ａ)が本体１１１内に形成された流路の仮想の中心線(Ｂ)と直交して設けられることが好ましく、中央の付近に後述されるガイド突起１４３（図３参照）の内周面と当接の突出部１１２aがその両側に設けられる。
【００１７】
ヒンジ突起１１３は、本体１１１の両側に突設されるが、好ましくはそれぞれの中心軸が互いに一致する１対の円筒状突起で備えられることがよい。
【００１８】
第２の延長管１２０は、被掃除面にてゴミを収集する図示されていない吸込ブラシ側と連結され、第１の延長管１１０に回動自在に結合する。このとき、円筒状継ぎ手１１２と結合する継ぎ手部１２１は、円筒状継ぎ手１１２の外周面を覆うことができるような形状で設けられる。継ぎ手部１２１により第２の延長管１２０はスムーズに回動でき、屈折による吸込損失を抑える。
【００１９】
リリース把手１３０は、第１の延長管１１０の外周面の一部を覆えるようヒンジ結合される。そして、図２に示すように、ボディ１１１に一体に突設されたレバー１３１と、ヒンジ突起１１３に摺動結合することができるよう一端に外側で開放された開口部１３２と、ヒンジ突起１１３が収容される閉鎖端１３３を有するヒンジ溝１３４を含むことが好ましい。閉鎖端１３３は、その内周面がヒンジ突起１１３の直径と対応するよう形成される。一方、ヒンジ溝１３４は、ヒンジ突起１１３からの離脱防止のため、開口部１３２と閉鎖端１３３との間にボトルネック区間(h)を有することが好ましい。
【００２０】
尚、レバー１３１は、リリース把手１３０に一体に形成されることが好ましいが、これに限定されず別途の部材で形成可能である。しかし、作業工数を減らし容易に製造するためには一体に形成されたモールド物で製造されることが好ましい。
【００２１】
継ぎ手カバー１４０は、円筒状の継ぎ手１１２と、継ぎ手部１２１の結合により形成される連結部Ｊ（図２参照）を密閉することで、左側および右側継ぎ手カバー１４０a、１４０bからなる。そして、図３に示すよう、それぞれの内部には弾性部材(Ｓ)が収容される少なくとも１つの収容突起１４１およびレバー１３１の終端が係止される段差部１４２を有するガイド突起１４３を含む。
【００２２】
弾性部材(Ｓ)は、図３に示すように、一端が折曲形成された板バネで製造されることが好ましく、レバー１３１と対応される位置に１つ設けられることも可能であり、それぞれのレバー１３１ごとに設けられることも可能である。尚、収容突起１４１は、弾性部材(Ｓ)を支えるための第１、第２および第３の収容突起１４１a、１４１b、１４１cからなり得る。即ち、図３に示すように、第１および第２の収容突起１４１a、１４１bは弾性部材(Ｓ)の基本位置を支え、第３の収容突起１４１cは、第１および第２の収容突起１４１a、１４１bの対向される位置に設けられる。従って、レバー１３１の回動により弾性部材(Ｓ)が変形された場合、第３の収容突起１４１cは、弾性部材(Ｓ)の一端を第１の収容突起１４１aと一緒に支持しつつ、弾性部材(Ｓ)がレバー１３１回動で変形されながら、弾性復元力がレバー１３１の回動方向と逆方向に作用されることができるようにする。また、レバー１３１の終端１３１aは、弾性部材(Ｓ)によりその進行経路が妨害されるため、第１および第２の延長管１１０、１２０の屈折角度が規制される。
【００２３】
ガイド突起１４３は、継ぎ手カバー１４０の内側に螺旋型の軌跡を有するように突設している。従って、段差部１４２は、図３に示すよう、ガイド突起１４３の螺旋型軌跡の開始点と終了点とが接点される部分に形成し、第１および第２の延長管１１０、１２０が一直線の状態である、レバー１３１の基本位置にて、その終端１３１aと対面される位置に形成されることが好ましい。
【００２４】
以下、添付の図４および図５を参照して本発明の好適な実施形態の動作方法につき説明する。本発明にかかる真空掃除機の屈折延長管１００は、未図示の掃除機本体側に連結されている第１の延長管１１０と被掃除面のゴミを収集する吸込ブラシ側に連結されている第２の延長管１２０とがユーザからの選択によって屈折されるよう回動自在に連結されている。
【００２５】
すなわち、ユーザがベッドまたは家具の底面を掃除するために被掃除面と吸込ブラシとが連結している本発明にかかる屈折延長管１００を最大に密着させようとすれば、ユーザは第１の延長管１１０を覆っているリリース把手１３０を把持して図４に示すように矢印方向に力を加える。
【００２６】
ユーザがリリース把手１３０を握ると、リリース把手１３０に一体に延長形成されたレバー１３１は、リリース把手１３０と一緒に回動しながら継ぎ手カバー１４０内に突設されている段差部１４２から離脱する。このとき、継ぎ手カバー１４０に設けられた弾性部材(Ｓ)は、レバー１３１に弾性復元力を作用し、段差部１４２から離脱されたレバー１３１をガイド突起１４１面に接触させ、レバー１３１をガイド突起１４３に従って回動させるようにする。
【００２７】
一方、弾性部材(Ｓ)が設けられる複数の第１ないし第３の収容突起１４１a、１４１b、１４１cの中、第３の収容突起１４１cは、図３に示すようにガイド突起１４１上にレバー１３１の終端１３１aの移動軌跡を妨げる位置に突設されてレバー１３１の移動を拘束する。従って、ユーザがリリース把手１３０を握ると、最初一直線で平行している第１および第２の延長管１１０、１２０は、レバー１３１の終端１３１aが第３の収容突起１４１cに接触するときまで屈折される。好ましくは、第１および第２の延長管の屈折角度はほぼ４５度を保つことが好ましい。
【００２８】
そして、ユーザは再び第１および第２の延長管１１０、１２０の屈折角度が０度となる最初状態に本発明に係る屈折延長管１００を一直線にするためには、別途装置の動作なしに第１の延長管１１０を把持した状態で未図示の吸込ブラシが結合した第２の延長管１２０側を持ち上げる。すると、前記吸込ブラシの自重により第２の延長管１２０が回動しつつ、レバー１３１が弾性部材(Ｓ)によって加圧されながら、段差部１４２に収容され、最初の一直線状に復帰し固定される。従って、ユーザが屈折された延長管を張るために別途のボタン動作をする煩わしさを抑えることができる。
【００２９】
以上、図面を参照して本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００３０】
【図１】本発明に係る真空掃除機の屈折延長管を示した斜視図である。
【図２】本発明に係る真空掃除機の屈折延長管の分解斜視図である。
【図３】封止カバーが除去された本発明に係る真空掃除機の屈折延長管の屈折以前の状態を示した斜視図である。
【図４】本発明に係る真空掃除機の屈折延長管の最初状態と屈折後の状態とを示した一部取り出しの側面図である。
【図５】本発明に係る真空掃除機の屈折延長管の最初状態と屈折後の状態とを示した一部取り出しの側面図である。
【符号の説明】
【００３１】
１００    屈折延長管
１１０    第１の延長管
１１１    本体
１１２    円筒状継ぎ手
１１２ａ  突出部
１１３    ヒンジ突起
１２０    第２の延長管
１２１    継ぎ手部
１３０    リリース把手
１３１    レバー
１３１ａ  終端
１３２    開口部
１３３    閉鎖端
１３４    ヒンジ溝
１４０    継ぎ手カバー
１４１    収容突起
１４１ａ、１４１ｂ、１４１ｃ  第１ないし第３の収容突起
１４２    段差部
１４３    ガイド突起
Ｓ        弾性部材
【図１】
2005161010.tif 000003
【図２】
2005161010.tif 000004
【図３】
2005161010.tif 000005
【図４】
2005161010.tif 000006
【図５】
2005161010.tif 000007